(57)【要約】【課題】私的プリントと公的プリントとを適切に判別する。【解決手段】プリント管理装置１０は、プリント管理装置１０に対して第１プリントデータが入力された第１の場合において、公的プリントに該当することを示す第１公的イメージを作成する公的イメージ作成部と、第１公的イメージを第１プリントデータに付与して画像形成装置５０に送る公的イメージ付与部と、を備え、画像形成装置５０は、プリント管理装置１０から送られた第１プリントデータを第１公的イメージと共にプリントするプリント制御部を備える。さらに、画像形成装置５０は、画像形成装置５０に対して第２プリントデータが入力された第２の場合において、第２プリントデータの公私判別をプリント管理装置１０に問い合わせる問合せ部を備え、プリント管理装置１０は、問合せに応じて公私判別を行い、公私判別による判別結果を画像形成装置５０に返す公私判別部を備える。【選択図】図８
2019123176.tif 000002
【特許請求の範囲】
【請求項１】
プリント処理を実行する画像形成装置と、前記プリント処理を管理するプリント管理装置と、を備えるプリントシステムであって、
前記プリント管理装置は、
前記プリント管理装置に対して第１プリントデータが入力された第１の場合において、前記第１プリントデータが公的プリントに該当することを示す第１公的イメージを作成する公的イメージ作成部と、
前記第１公的イメージを前記第１プリントデータに付与して前記画像形成装置に送る公的イメージ付与部と、を備え、
前記画像形成装置は、
前記プリント管理装置から送られた前記第１プリントデータを、前記第１プリントデータに付与された前記第１公的イメージと共にプリントするプリント制御部を備え、
さらに、前記画像形成装置は、
前記画像形成装置に対して第２プリントデータが入力された第２の場合において、前記第２プリントデータが私的プリントと公的プリントとのいずれに該当するかについての公私判別を前記プリント管理装置に問い合わせる問合せ部を備え、
前記プリント管理装置は、
前記問合せ部からの問合せに応じて前記公私判別を行い、前記公私判別による判別結果を前記画像形成装置に返す公私判別部を備える、ことを特徴とするプリントシステム。
【請求項２】
前記プリント管理装置の前記公私判別部は、
前記第２プリントデータが公的プリントに該当することを示す第２公的イメージが前記第２プリントデータ内に存在しない場合に、前記第２プリントデータが私的プリントに該当すると判別する、ことを特徴とする請求項１に記載のプリントシステム。
【請求項３】
前記プリント管理装置の前記公私判別部は、
前記第２プリントデータの入力元が着脱可能な周辺機器である場合に、前記第２プリントデータが私的プリントに該当すると判別する、ことを特徴とする請求項１に記載のプリントシステム。
【請求項４】
前記プリント管理装置の前記公私判別部は、
前記第２プリントデータがテキストデータを含まない場合に、前記第２プリントデータが私的プリントに該当すると判別する、ことを特徴とする請求項１に記載のプリントシステム。
【請求項５】
前記プリント管理装置の前記公私判別部は、
前記第２プリントデータが、前記プリントシステム外で実行される外部アプリケーションにて用いられるページ記述言語によって作成されている場合に、前記第２プリントデータが私的プリントに該当すると判別する、ことを特徴とする請求項１に記載のプリントシステム。
【請求項６】
前記画像形成装置は、
前記第２の場合において、前記第２プリントデータが私的プリントに該当することを示す前記判別結果を前記プリント管理装置から受けると、前記第２プリントデータによるプリントは私的プリントであるから課金する旨をユーザーに提示した後、前記ユーザーからのプリント指示を受けて前記第２プリントデータをプリントするように前記プリント制御部に指示する応答処理部を備える、ことを特徴とする請求項１から請求項５のいずれかに記載のプリントシステム。
【請求項７】
前記プリント管理装置は、
私的プリントに該当すると判別した前記第２プリントデータが前記画像形成装置においてプリントされた場合に、前記ユーザーに対して課金する課金部を備える、ことを特徴とする請求項６に記載のプリントシステム。
【請求項８】
前記画像形成装置の前記プリント制御部は、
前記第２の場合において、前記第２プリントデータが公的プリントに該当することを示す前記判別結果を前記プリント管理装置から受けると、前記第２プリントデータに付与された第２公的イメージと共に前記第２プリントデータをプリントする、ことを特徴とする請求項１から請求項７のいずれかに記載のプリントシステム。
【請求項９】
前記プリント管理装置は、
前記第１の場合において、前記画像形成装置が前記第１プリントデータを保持している期間にわたって前記第１プリントデータに対応する前記第１公的イメージを保管し、前記画像形成装置から前記第１プリントデータが削除されると前記第１公的イメージを削除する公的イメージ管理部を備える、ことを特徴とする請求項１から請求項８のいずれかに記載のプリントシステム。
【請求項１０】
プリント管理装置に対して第１プリントデータが入力された第１の場合において、前記プリント管理装置から送られた前記第１プリントデータを、前記第１プリントデータに付与された第１公的イメージと共にプリントするプリント制御部と、
画像形成装置に対して第２プリントデータが入力された第２の場合において、前記第２プリントデータが私的プリントと公的プリントとのいずれに該当するかについての公私判別を前記プリント管理装置に問い合わせる問合せ部と、
前記第２プリントデータが私的プリントに該当することを示す判別結果を前記プリント管理装置から受けると、前記第２プリントデータによるプリントは私的プリントであるから課金する旨をユーザーに提示した後、前記ユーザーからのプリント指示を受けて前記第２プリントデータをプリントするように前記プリント制御部に指示する応答処理部と、を備えることを特徴とする画像形成装置。
【請求項１１】
画像形成装置によるプリント処理を管理するプリント管理装置であって、
前記プリント管理装置に対して第１プリントデータが入力された第１の場合において、前記第１プリントデータが公的プリントに該当することを示す第１公的イメージを作成する公的イメージ作成部と、
前記第１公的イメージを前記第１プリントデータに付与して前記画像形成装置に送る公的イメージ付与部と、
前記画像形成装置に対して第２プリントデータが入力された第２の場合において、前記第２プリントデータが私的プリントと公的プリントとのいずれに該当するかについての問合せに応じて公私判別を行い、前記公私判別による判別結果を前記画像形成装置に返す公私判別部と、を備えることを特徴とするプリント管理装置。
【請求項１２】
プリント処理を実行する画像形成装置と、前記プリント処理を管理するプリント管理装置と、を備えるプリントシステムにおける制御方法であって、
前記プリント管理装置において、前記プリント管理装置に対して第１プリントデータが入力された第１の場合に、前記第１プリントデータが公的プリントに該当することを示す第１公的イメージを作成することと、前記第１公的イメージを前記第１プリントデータに付与して前記画像形成装置に送ることと、
前記画像形成装置において、前記プリント管理装置から送られた前記第１プリントデータを、前記第１プリントデータに付与された前記第１公的イメージと共にプリントすることと、
さらに、前記画像形成装置において、前記画像形成装置に対して第２プリントデータが入力された第２の場合に、前記第２プリントデータが私的プリントと公的プリントとのいずれに該当するかについての公私判別を前記プリント管理装置に問い合わせることと、
前記プリント管理装置において、前記画像形成装置からの問合せに応じて前記公私判別を行い、前記公私判別による判別結果を前記画像形成装置に返すこととを備える、ことを特徴とする制御方法。
【発明の詳細な説明】
【技術分野】
【０００１】
本発明は、私的プリントと公的プリントとを判別可能なプリントシステム、画像形成装置、プリント管理装置、および制御方法に関する。
【背景技術】
【０００２】
企業や学校などの団体組織においては、コピー機等のプリンティング機能を有する画像形成装置が複数のユーザーに共有して用いられる場合が多い。あるユーザーが画像形成装置を私的に利用したときに、その利用が私的なものであるか否かを判別できなければ、団体組織はそのユーザーに対して課金できない。結果として、ユーザーの属する団体組織がその私的プリントに掛かるコストを負担することになるので、組織運営のコストが増大するだけでなく、ユーザー間の公平性の観点からも問題がある。
【０００３】
特許文献１の画像形成システムは、プリントジョブにおけるプリント対象の画像から抽出された文字情報に基づいて、そのプリントジョブが私的利用であるか公的利用であるかを判断する私用判断装置を備える。以上の私用判断装置は、抽出された文字情報に、私用キーワードが特定の基準を満たす状態で含まれ、かつ、公用キーワードが含まれない場合に、対応するプリントジョブが画像形成装置の私的利用に該当する（すなわち、私的プリントに該当する）と判断する。
【先行技術文献】
【特許文献】
【０００４】
【特許文献１】特開２０１４−１７１０６７号公報
【発明の概要】
【発明が解決しようとする課題】
【０００５】
特許文献１の技術によれば、プリント対象から抽出された文字情報内のキーワード（すなわち、文字情報）のみで私的プリントであるか公的プリントであるかを判断しているので、プリント対象が文字を含まない画像（例えば、写真や絵画）である場合にプリントの公私判断ができない可能性がある。また、キーワードの登録に不備がある場合（例えば、私用キーワードとして登録されるべき語が公用キーワードに登録されている場合）にも、キーワードのみではプリントの公私判断を正しく行えない可能性がある。
【０００６】
したがって、特許文献１の技術では、実際には私的プリントであるプリントジョブがシステム上私的プリントではないと判断される可能性があり、ひいては、ユーザーに対して正しく課金できない可能性がある。
【０００７】
以上の事情を考慮して、本発明は、私的プリントと公的プリントとを適切に判別することを目的とする。
【課題を解決するための手段】
【０００８】
上記した目的を達成するため、本発明によるプリントシステムは、プリント処理を実行する画像形成装置と、前記プリント処理を管理するプリント管理装置と、を備える。前記プリント管理装置は、前記プリント管理装置に対して第１プリントデータが入力された第１の場合において、前記第１プリントデータが公的プリントに該当することを示す第１公的イメージを作成する公的イメージ作成部と、前記第１公的イメージを前記第１プリントデータに付与して前記画像形成装置に送る公的イメージ付与部と、を備え、前記画像形成装置は、前記プリント管理装置から送られた前記第１プリントデータを、前記第１プリントデータに付与された前記第１公的イメージと共にプリントするプリント制御部を備え、さらに、前記画像形成装置は、前記画像形成装置に対して第２プリントデータが入力された第２の場合において、前記第２プリントデータが私的プリントと公的プリントとのいずれに該当するかについての公私判別を前記プリント管理装置に問い合わせる問合せ部を備え、前記プリント管理装置は、前記問合せ部からの問合せに応じて前記公私判別を行い、前記公私判別による判別結果を前記画像形成装置に返す公私判別部を備える。
【０００９】
好適には、前記プリント管理装置の前記公私判別部は、前記第２プリントデータが公的プリントに該当することを示す第２公的イメージが前記第２プリントデータ内に存在しない場合に、前記第２プリントデータが私的プリントに該当すると判別する。
【００１０】
好適には、前記プリント管理装置の前記公私判別部は、前記第２プリントデータの入力元が着脱可能な周辺機器である場合に、前記第２プリントデータが私的プリントに該当すると判別する。
【００１１】
好適には、前記プリント管理装置の前記公私判別部は、前記第２プリントデータがテキストデータを含まない場合に、前記第２プリントデータが私的プリントに該当すると判別する。
【００１２】
好適には、前記プリント管理装置の前記公私判別部は、前記第２プリントデータが、前記プリントシステム外で実行される外部アプリケーションにて用いられるページ記述言語によって作成されている場合に、前記第２プリントデータが私的プリントに該当すると判別する。
【００１３】
好適には、前記画像形成装置は、前記第２の場合において、前記第２プリントデータが私的プリントに該当することを示す前記判別結果を前記プリント管理装置から受けると、前記第２プリントデータによるプリントは私的プリントであるから課金する旨をユーザーに提示した後、前記ユーザーからのプリント指示を受けて前記第２プリントデータをプリントするように前記プリント制御部に指示する応答処理部を備える。
【００１４】
好適には、前記プリント管理装置は、私的プリントに該当すると判別した前記第２プリントデータが前記画像形成装置においてプリントされた場合に、前記ユーザーに対して課金する課金部を備える。
【００１５】
好適には、前記画像形成装置の前記プリント制御部は、前記第２の場合において、前記第２プリントデータが公的プリントに該当することを示す前記判別結果を前記プリント管理装置から受けると、前記第２プリントデータに付与された第２公的イメージと共に前記第２プリントデータをプリントする。
【００１６】
好適には、前記プリント管理装置は、前記第１の場合において、前記画像形成装置が前記第１プリントデータを保持している期間にわたって前記第１プリントデータに対応する前記第１公的イメージを保管し、前記画像形成装置から前記第１プリントデータが削除されると前記第１公的イメージを削除する公的イメージ管理部を備える。
【００１７】
また、本発明による画像形成装置は、プリント管理装置に対して第１プリントデータが入力された第１の場合において、前記プリント管理装置から送られた前記第１プリントデータを、前記第１プリントデータに付与された第１公的イメージと共にプリントするプリント制御部と、画像形成装置に対して第２プリントデータが入力された第２の場合において、前記第２プリントデータが私的プリントと公的プリントとのいずれに該当するかについての公私判別を前記プリント管理装置に問い合わせる問合せ部と、前記第２プリントデータが私的プリントに該当することを示す判別結果を前記プリント管理装置から受けると、前記第２プリントデータによるプリントは私的プリントであるから課金する旨をユーザーに提示した後、前記ユーザーからのプリント指示を受けて前記第２プリントデータをプリントするように前記プリント制御部に指示する応答処理部と、を備える。
【００１８】
また、本発明によるプリント管理装置は、画像形成装置によるプリント処理を管理するプリント管理装置であって、前記プリント管理装置に対して第１プリントデータが入力された第１の場合において、前記第１プリントデータが公的プリントに該当することを示す第１公的イメージを作成する公的イメージ作成部と、前記第１公的イメージを前記第１プリントデータに付与して前記画像形成装置に送る公的イメージ付与部と、前記画像形成装置に対して第２プリントデータが入力された第２の場合において、前記第２プリントデータが私的プリントと公的プリントとのいずれに該当するかについての問合せに応じて公私判別を行い、前記公私判別による判別結果を前記画像形成装置に返す公私判別部と、を備える。
【００１９】
また、本発明による制御方法は、プリント処理を実行する画像形成装置と、前記プリント処理を管理するプリント管理装置と、を備えるプリントシステムにおける制御方法であって、前記プリント管理装置において、前記プリント管理装置に対して第１プリントデータが入力された第１の場合に、前記第１プリントデータが公的プリントに該当することを示す第１公的イメージを作成することと、前記第１公的イメージを前記第１プリントデータに付与して前記画像形成装置に送ることと、前記画像形成装置において、前記プリント管理装置から送られた前記第１プリントデータを、前記第１プリントデータに付与された前記第１公的イメージと共にプリントすることと、さらに、前記画像形成装置において、前記画像形成装置に対して第２プリントデータが入力された第２の場合に、前記第２プリントデータが私的プリントと公的プリントとのいずれに該当するかについての公私判別を前記プリント管理装置に問い合わせることと、前記プリント管理装置において、前記画像形成装置からの問合せに応じて前記公私判別を行い、前記公私判別による判別結果を前記画像形成装置に返すこととを備える。
【発明の効果】
【００２０】
本発明によれば、私的プリントと公的プリントとを適切に判別することが可能である。
【図面の簡単な説明】
【００２１】
【図１】本発明の実施形態に係る印刷システムを示す全体構成図である。
【図２】本発明の実施形態に係る印刷管理装置の電気的構成のブロック図である。
【図３】本発明の実施形態に係る印刷管理装置の論理的構成のブロック図である。
【図４】本発明の実施形態に係る画像形成装置を示す概略図（正面図）である。
【図５】本発明の実施形態に係る画像形成装置の電気的構成のブロック図である。
【図６】本発明の実施形態に係る画像形成装置の論理的構成のブロック図である。
【図７】本発明の実施形態に係る通常印刷ケースのシーケンス図である。
【図８】本発明の実施形態に係るイレギュラー印刷ケースのシーケンス図である。
【発明を実施するための形態】
【００２２】
以下、本発明の実施の形態について図面を参照しながら説明する。以下の実施形態は、本発明の好適な具体例であって、種々の好ましい技術を開示しているが、本発明の技術範囲はこれらの態様に限定されるものではない。また、本発明の実施形態における「印刷」という語は、電子写真方式等を含む広汎な画像形成（プリント、プリンティング）を意味するものであり、例えば、板面にインクを塗布し媒体に転写すること等の限定的な態様のみを意味することを意図しない。
【００２３】
１．印刷システムの全体構成
図１を参照して、本実施形態による印刷システム１の全体構成を説明する。印刷システム１は、印刷管理装置１０とネットワーク３０と画像形成装置５０とを備える。
【００２４】
印刷管理装置１０は、画像形成装置５０による印刷処理を管理する装置であって、例えば、ＵＮＩＸ（登録商標）サーバーやＰＣサーバーである。なお、クラスターサーバーのような複数のコンピューター装置が連携し１つの印刷管理装置１０を構成してもよいし、クラウド上またはエッジ上の仮想マシンが印刷管理装置１０を構成してもよい。
【００２５】
ネットワーク３０は、印刷システム１内の印刷管理装置１０、画像形成装置５０等のノード同士を接続する通信ネットワークであり、複数のリピーター、ブリッジ、ルーター等の通信機器を備える。ネットワーク３０は、例えば、印刷管理装置１０および画像形成装置５０が属するローカルエリアネットワークである。ネットワーク３０に接続される装置は、所定のプロトコル（ＴＣＰ／ＩＰ等）に従って通信を実行すると好適である。
【００２６】
画像形成装置５０は、印刷データに基づいて印刷処理を実行する装置であり、例えば、プリント機能、コピー機能、およびファックス機能等を複合的に備える複合機である。印刷データは、ネットワーク３０を介して、または画像形成装置５０に直接的に入力され得る。画像形成装置５０は、印刷データを用いて印刷処理を実行することにより、印刷用紙等の媒体Ｓ上に印刷データに対応する画像を形成する。
【００２７】
２．印刷管理装置の構成
次いで、図２および図３を参照して印刷管理装置１０の構成について説明する。
【００２８】
図２は、印刷管理装置１０の電気的構成を示すブロック図である。図２に示すとおり、印刷管理装置１０は、通信インターフェイス１１とＣＰＵ（Central Processing Unit）１２とＲＡＭ（Random Access Memory）１３とＲＯＭ（Read Only Memory）１４とストレージ装置１５とを備える。以上の構成要素はバス１６によって相互に接続される。
【００２９】
通信インターフェイス１１は、ネットワーク３０を介して画像形成装置５０等の装置と通信を実行するインターフェイスであり、例えばイーサネット（登録商標）規格に対応したＮＩＣ（Network Interface Card）である。ＣＰＵ１２は、主記憶装置であるＲＡＭ１３及びＲＯＭ１４に記憶されているプログラムを実行することにより、種々の演算および制御を行う演算装置である。ストレージ装置１５は、ＲＡＭ１３上に展開可能なプログラムおよびデータを記憶する補助記憶装置であり、例えばＨＤＤ（Hard Disk Drive）またはＳＳＤ（Solid State Drive）である。
【００３０】
図３は、印刷管理装置１０の論理的構成を示すブロック図である。図３に示すとおり、印刷管理装置１０は、制御部２０を機能ブロックとして備える。制御部２０は、さらに、公的イメージ作成部２１と公的イメージ付与部２２と公的イメージ管理部２３と公私判別部２４と課金部２５とを、機能ブロックとして備える。印刷管理装置１０の主記憶装置（ＲＡＭ１３およびＲＯＭ１４）に記憶されているコンピュータープログラムをＣＰＵ１２が実行することにより、以上の機能ブロックが実現される。
【００３１】
制御部２０は、印刷管理および入出力に関する汎用的な機能を実現する機能ブロックであり、例えば、印刷システム１のユーザー管理（認証および権限付与等）や、通信インターフェイス１１を介した画像形成装置５０等の外部装置との通信制御を実行する。
【００３２】
公的イメージ作成部２１は、印刷データが公的印刷に該当することを示す公的イメージを作成する。本実施形態において、「公的印刷」とは、印刷システム１を所有する団体組織の目的に適う印刷行為のことであり、例えば、営利企業組織においては、その企業が遂行するビジネスに用いる資料（営業資料や会計資料等）の印刷である。
【００３３】
なお、公的印刷の対義語は私的印刷である。本実施形態において、「私的印刷」とは、印刷システム１を所有する組織の目的外の印刷行為のことであり、例えば、営利企業組織においては、その企業の従業員が個人的に用いる資料（個人旅行の写真や趣味のウェブページ等）の印刷である。
【００３４】
また、本実施形態において、「公的イメージ」とは、印刷システム１を所有する団体組織またはその組織の提供物等を示す標章であり、例えば、営利企業組織においては、その企業のロゴの透かし（ウォーターマーク）である。なお、公的イメージは、公的イメージに対応する画像データそのものであってもよいし、公的イメージの描画に用いられる指示データ（例えば、ページ記述言語のコマンドリスト）であってもよい。
【００３５】
公的イメージ付与部２２は、公的イメージ作成部２１が作成した公的イメージを印刷データに付与して画像形成装置５０に送る。公的イメージ管理部２３は、公的イメージ作成部２１が作成した公的イメージのストレージ装置１５への記憶および削除を管理する。公私判別部２４は、ある印刷データについて、その印刷データが私的印刷と公的印刷とのいずれに該当するかについての判別（公私判別）を行い、判別結果を出力する。課金部２５は、私的印刷に該当すると判別した印刷データが画像形成装置５０において印刷された場合に、その印刷データの印刷を要求したユーザーに対して課金する。
【００３６】
３．画像形成装置の構成
次いで、図４ないし図６を参照して画像形成装置５０の構成について説明する。
【００３７】
図４は、画像形成装置５０を示す概略図（正面図）である。図４の紙面手前側が、画像形成装置５０の前側に相当する。また、図４に示す「Ｌ」は「左」を示し、「Ｒ」は「右」を示し、「Ｕ」は「上」を示し、「Ｄ」は「下」を示す。
【００３８】
画像形成装置５０は、略箱型形状の装置本体５２を備える。装置本体５２の下部には、普通紙等の媒体Ｓを収容する給紙カセット５３が着脱可能に設けられ、装置本体５２の上部には、排紙トレイ５４が設けられる。
【００３９】
装置本体５２は、給紙装置５５と作像装置５６と定着装置５７とを備える。給紙装置５５は、給紙カセット５３から排紙トレイ５４まで伸びた搬送路５８の上流端部に設けられる。作像装置５６は搬送路５８の中間部に設けられ、定着装置５７は搬送路５８の下流側に設けられる。
【００４０】
作像装置５６は、トナーコンテナ６０とドラムユニット６１と光走査装置６２とを含む。トナーコンテナ６０は、例えば、黒色のトナー（現像剤）を収容する。ドラムユニット６１は、感光体ドラム６３と帯電装置６４と現像装置６５と転写ローラー６６とを含む。トナーは、トナーとキャリアとを混合した２成分現像剤であってもよく、磁性トナーからなる１成分現像剤であってもよい。
【００４１】
また、装置本体５２は、上記した各装置の制御に用いられる制御装置７０を備える。制御装置７０の詳細については後述される。
【００４２】
図５は、画像形成装置５０（制御装置７０）の電気的構成を示すブロック図である。図５に示すとおり、画像形成装置５０の制御装置７０は、タッチパネル７１と通信インターフェイス７２と周辺機器インターフェイス７３とＣＰＵ７４とＲＡＭ７５とＲＯＭ７６とストレージ装置７７とを備える。以上の構成要素はバス７８によって相互に接続される。
【００４３】
タッチパネル７１は、ユーザーからの入力を受け付けて電気信号に変換する入力装置として機能すると共に、処理結果を映像として出力する出力装置として機能する。通信インターフェイス７２は、ネットワーク３０を介して印刷管理装置１０等の装置と通信を実行するインターフェイスであり、例えばイーサネット（登録商標）規格に対応したＮＩＣである。
【００４４】
周辺機器インターフェイス７３は、ＵＳＢ（Universal Serial Bus）メモリー等の記録媒体やＰＣ、デジタルカメラ等の外部装置との入出力に用いられるインターフェイスであり、例えばＵＳＢインターフェイスである。ＵＳＢメモリー等の記録媒体に記録された印刷データが、周辺機器インターフェイス７３を介して画像形成装置５０に直接的に入力され得る。また、ＰＣ、デジタルカメラ等の外部装置に記録された印刷データが、適切な接続ケーブル（例えば、ＵＳＢケーブル）および周辺機器インターフェイス７３を介して画像形成装置５０に直接的に入力され得る。上記したＵＳＢメモリー等の記録媒体およびＰＣ、デジタルカメラ等の外部装置は、周辺機器インターフェイス７３を介して画像形成装置５０に着脱可能な周辺機器である。
【００４５】
ＣＰＵ７４は、主記憶装置であるＲＡＭ７５およびＲＯＭ７６に記憶されているプログラムを実行することにより、種々の演算および制御を行う演算装置である。ストレージ装置７７は、ＲＡＭ７５上に展開可能なプログラム及びデータを記憶する補助記憶装置であり、例えばＨＤＤまたはＳＳＤである。
【００４６】
図６は、画像形成装置５０の論理的構成を示すブロック図である。図６に示すとおり、画像形成装置５０は、制御部８０を機能ブロックとして備える。制御部８０は、さらに、印刷制御部８１と問合せ部８２と応答処理部８３とを、機能ブロックとして備える。画像形成装置５０の主記憶装置（ＲＡＭ７５およびＲＯＭ７６）に記憶されているコンピュータープログラムをＣＰＵ７４が実行することにより、以上の機能ブロックが実現される。
【００４７】
制御部８０は、装置制御および入出力に関する汎用的な機能を実現する機能ブロックであり、例えば、タッチパネル７１を介した入出力の制御、通信インターフェイス７２を介した外部装置との通信制御、周辺機器インターフェイス７３を介した着脱可能な周辺機器との入出力の制御等を実行する。
【００４８】
印刷制御部８１は、画像形成装置５０の各装置を制御して印刷処理を実行する機能ブロックであり、例えば、印刷管理装置１０から送られた印刷データを印刷したり、画像形成装置５０に直接的に入力された印刷データを印刷したりする。印刷制御部８１は、印刷データに公的イメージが付与されている場合に、公的イメージと共に印刷データを印刷すると好適である。また、印刷制御部８１は、後で印刷処理を実行するために、ユーザーの個人ボックス（ストレージ装置７７）に印刷データを記憶しておくことが可能である。
【００４９】
問合せ部８２は、印刷管理装置１０に問合せを行う機能ブロックであり、例えば、画像形成装置５０に入力された印刷データの公私判断を印刷管理装置１０に問い合わせる。応答処理部８３は、タッチパネル７１を介してユーザーに情報を提示すると共に、ユーザーからの指示を受けて各装置を制御する機能ブロックである。
【００５０】
４．印刷システムの処理
図７および図８を参照して、本実施形態の印刷システム１による印刷制御処理を説明する。図７は、印刷管理装置１０に印刷データが入力される通常印刷ケース（第１の場合）のシーケンス図であり、図８は、画像形成装置５０に印刷データが入力されるイレギュラー印刷ケース（第２の場合）のシーケンス図である。
【００５１】
４−１．通常印刷ケース（第１の場合）
ユーザーがネットワーク３０に接続された業務用ＰＣを用いて印刷処理を実行すると、印刷データ（第１印刷データ）がそのＰＣから印刷管理装置１０に送信される（ステップＳ１）。印刷システム１において使用される業務用ＰＣは、印刷処理を実行すると印刷データが印刷管理装置１０に送信されるようにデフォルトで設定されていると好適である。
【００５２】
印刷管理装置１０が印刷データをＰＣから受信すると、公的イメージ作成部２１は、その印刷データが公的印刷に該当することを示す公的イメージ（第１公的イメージ）を作成する（ステップＳ１．１）。公的イメージ作成部２１が作成する公的イメージの種類やサイズは、ユーザーの指示に基づいて決定されてもよく、印刷データの内容（印刷データの文字情報に含まれる商品・サービスの名称等）に基づいて自動的に決定されてもよい。
【００５３】
公的イメージ付与部２２は、作成された公的イメージを印刷データに付与する（ステップＳ１．２）。より具体的には、印刷データ内に公的イメージが埋め込まれても（エンベッドされても）よいし、画像形成装置５０側で公的イメージを作成できるような指示データが印刷データにリンクされる形で付与されてもよい。なお、後者において、ユーザーが印刷を所望する印刷データのページ記述言語（例えば、PostScript（登録商標））と同じ言語で指示データが作成されると好適である。
【００５４】
次いで、公的イメージ付与部２２は、公的イメージが付与された印刷データを画像形成装置５０に送る（ステップＳ１．３）。画像形成装置５０が印刷データを受信すると、印刷制御部８１は、印刷データに付与された公的イメージと共に、その印刷データを印刷する（ステップＳ１．３．１）。画像形成装置５０側で公的イメージを作成できるような指示データが印刷データに付与されている場合、印刷制御部８１は、その指示データに基づいて公的イメージを作成して、印刷データと共に印刷する。画像形成装置５０における印刷データの印刷処理が完了すると、通常印刷ケースが終了する。
【００５５】
なお、ステップＳ１において、ユーザーが即時に印刷することを希望せず、画像形成装置５０の個人ボックス（ストレージ装置７７）に印刷データを記憶するように指示する場合も想定される。
【００５６】
その場合、印刷制御部８１は、個人ボックスへの印刷データの記憶が完了したことを印刷管理装置１０に通知する（処理が図７の「ａｌｔ」に進む）。以上の通知を受けると、公的イメージ管理部２３は、画像形成装置５０に記憶された印刷データに対応する公的イメージをストレージ装置１５に記憶する（ステップＳ１．４）。公的イメージ管理部２３は、画像形成装置５０が印刷データを保持している期間にわたって、その印刷データに対応する公的イメージを保管する。
【００５７】
画像形成装置５０が印刷データを保持している間、ユーザーは、画像形成装置５０のタッチパネル７１を操作して、その印刷データを印刷することが可能である。画像形成装置５０の印刷制御部８１は、印刷が完了した印刷データを削除することが可能である。印刷制御部８１は、印刷データを削除すると、削除したことを印刷管理装置１０に通知する。印刷管理装置１０の公的イメージ管理部２３は、画像形成装置５０から印刷データが削除された旨の通知を受けると、その印刷データに対応する公的イメージをストレージ装置１５から削除することが可能である。
【００５８】
４−２．イレギュラー印刷ケース（第２の場合）
ユーザーがネットワーク３０に接続されたＰＣを用いて、画像形成装置５０を宛先として選択して印刷処理を実行すると、印刷データ（第２印刷データ）がそのＰＣから画像形成装置５０に送信される（ステップＳ２）。また、ユーザーは、ステップＳ２において、ネットワーク３０経由ではなく、ＵＳＢメモリーやＰＣ、デジタルカメラ等の着脱可能な周辺機器に記録されている印刷データ（第２印刷データ）を、周辺機器インターフェイス７３を介して直接的に画像形成装置５０に入力することも可能である。
【００５９】
画像形成装置５０に印刷データが入力されると、問合せ部８２は、その印刷データが私的印刷と公的印刷とのいずれに該当するかについての公私判別を、印刷管理装置１０に問い合わせる（ステップＳ２．１）。
【００６０】
ステップＳ２．１において、問合せ部８２は、印刷管理装置１０が公私判別をする際に使用する情報である判別情報を、上記した問合せと併せて印刷管理装置１０に送信すると好適である。判別情報とは、例えば、印刷データの入力元（データソース）の情報、印刷データの作成に用いられたページ記述言語の情報、印刷データから抽出された文字情報、等である。なお、問合せ部８２は、ステップＳ２．１において、印刷データ自体を印刷管理装置１０に送信してもよい。
【００６１】
印刷管理装置１０が問合せ部８２からの問合せを受信すると、公私判別部２４は、その問合せに対応する印刷データについて公私判別を行う（ステップＳ２．１．１）。公私判別は様々な基準に基づいて実行され得る。以下に、公私判別の例を非限定的に列挙する。
【００６２】
（１）公私判別部２４は、印刷データが公的印刷に該当することを示す公的イメージが印刷データ内に存在しない場合に、その印刷データが私的印刷に該当すると判別することができる。逆に、印刷データに公的イメージが含まれている場合は、その印刷データは公的印刷に該当すると判定され得る。
【００６３】
（２）公私判別部２４は、判別情報によって示される印刷データの入力元が、ＵＳＢメモリー等の記録媒体またはＰＣ、デジタルカメラ等の外部装置（すなわち、着脱可能な周辺機器）である場合に、その印刷データが私的印刷に該当すると判別することができる。なお、ユーザーが外部記録媒体からＰＣに印刷データを入力して印刷処理を実行した場合も、ユーザーが画像形成装置５０に外部記録媒体を挿して印刷データを入力した場合も、入力元はいずれも「周辺機器」である。
【００６４】
（３）公私判別部２４は、印刷データがテキストデータを含まない場合（すなわち、印刷データが写真や絵のみの場合）に、その印刷データが私的印刷に該当すると判別することができる。例えば、印刷データがＪＰＥＧ等の画像ファイルである場合や、印刷データにＯＣＲ処理を施した際に文字情報が抽出されなかった場合に、その印刷データがテキストデータを含まないと判定し得る。
【００６５】
（４）公私判別部２４は、印刷データが、印刷システム１外で実行される外部アプリケーション（例えば、スマートフォンにおいて用いられることが多いAirPrint（登録商標）やGoogle（登録商標） Cloud Print）にて用いられるページ記述言語によって作成されている場合に、その印刷データが私的印刷に該当すると判別することができる。
【００６６】
次いで、公私判別部２４は、ステップＳ２．１．１の公私判別による判別結果を、画像形成装置５０に返す（ステップＳ２．１．２）。処理は図８の「ａｌｔ」に進む。なお、公私判別部２４は、印刷データが公的印刷に該当すると判別した場合、その印刷データに対応する公的イメージ（第２公的イメージ）を公的イメージ作成部２１に作成させ、判別結果にその公的イメージを添付して画像形成装置５０に送信してもよい。
【００６７】
印刷データが公的印刷に該当することを示す判別結果を印刷管理装置１０から受けると、印刷制御部８１は、判別結果に対応する印刷データを印刷する（ステップＳ２．２）。なお、印刷データまたは判別結果に公的イメージが付与されている場合、印刷制御部８１は、公的イメージと共に印刷データを印刷すると好適である。以上の公的印刷が完了すると、イレギュラー印刷ケースが終了する。
【００６８】
他方、印刷データが私的印刷に該当することを示す判別結果を印刷管理装置１０から受けると、応答処理部８３は、その印刷データによる印刷は私的印刷であるから課金する旨を表示する（すなわち、ユーザーに提示する）ように、タッチパネル７１を制御する（ステップＳ２．３）。
【００６９】
ユーザーがタッチパネル７１を操作して印刷を指示すると、応答処理部８３は、印刷データを印刷するように印刷制御部８１に指示する。印刷制御部８１は、応答処理部８３からの指示を受けてその印刷データを印刷する（ステップＳ２．４）。ステップＳ２．４の印刷が完了すると、印刷制御部８１は印刷管理装置１０に私的印刷が完了した旨を通知する。印刷管理装置１０の課金部２５は、私的印刷を指示したユーザーに対して課金する。その後、イレギュラー印刷ケースが終了する。
【００７０】
５．本実施形態の効果
上記した本実施形態の構成においては、通常印刷ケース（第１の場合）とイレギュラー印刷ケース（第２の場合）とで相異なる制御が実行される。印刷管理装置１０に印刷データが入力される通常印刷ケースでは、自動的に公的イメージが作成され印刷データに付与されて印刷される。他方、画像形成装置５０に印刷データが入力されるイレギュラー印刷ケースでは、印刷管理装置１０にて公私判別がなされる。以上の構成によれば、印刷管理装置１０をバイパスして私的印刷を実行しようとしても、画像形成装置５０から印刷管理装置１０に問合せがなされ公私判別されるので、私的印刷の見過ごしが回避される。
【００７１】
また、本実施形態の一例では、イレギュラー印刷ケース（第２の場合）において、公私判別部２４が、公的イメージが印刷データ内に存在しない場合に、その印刷データが私的印刷に該当すると判別する。以上の構成によれば、公的イメージが無く私的なものである可能性が高い印刷データが公的印刷であると判別されることが回避される。
【００７２】
また、本実施形態の一例では、イレギュラー印刷ケース（第２の場合）において、公私判別部２４が、印刷データの入力元が着脱可能な周辺機器である場合に、その印刷データが私的印刷に該当すると判別する。以上の構成によれば、ユーザーが着脱可能な周辺機器を用いて個人的に持参した可能性が高い印刷データが公的印刷であると判別されることが回避される。
【００７３】
また、本実施形態の一例では、イレギュラー印刷ケース（第２の場合）において、公私判別部２４が、印刷データがテキストデータを含まない場合に、その印刷データが私的印刷に該当すると判別する。以上の構成によれば、写真や絵のみの私的である可能性が高い印刷データが公的印刷であると判別されることが回避される。
【００７４】
また、本実施形態の一例では、イレギュラー印刷ケース（第２の場合）において、公私判別部２４が、印刷システム１外で実行される外部アプリケーションにて用いられるページ記述言語によって印刷データが作成されている場合に、その印刷データが私的印刷に該当すると判別する。以上の構成によれば、外部アプリケーションによって生成されており私的である可能性が高い印刷データが公的印刷であると判別されることが回避される。
【００７５】
また、本実施形態の一例では、イレギュラー印刷ケース（第２の場合）において、ユーザーが要求した印刷は私的印刷であるから課金する旨がユーザーに提示された後、ユーザーからの印刷指示を受けて印刷処理が実行される。以上の構成によれば、ユーザーに私的印刷の注意喚起がなされるので、画像形成装置５０が私的印刷に用いられる頻度を抑制できる他、ユーザーにとっても知らずに課金されてしまう状況が回避される。
【００７６】
また、本実施形態の一例では、イレギュラー印刷ケース（第２の場合）において、私的印刷がなされた場合にユーザーに対して課金がなされる。以上の構成によれば、私的印刷を行ったユーザーに対して適切に課金がなされる。
【００７７】
また、本実施形態の一例では、イレギュラー印刷ケース（第２の場合）において、印刷管理装置１０によって公的印刷であると判別された場合に、公的イメージと共に印刷データが印刷される。以上の構成によれば、画像形成装置５０に印刷データが入力された場合であっても、公的イメージを印刷データに付す公的印刷が適切に実現される。
【００７８】
また、本実施形態の一例では、通常印刷ケース（第１の場合）において、画像形成装置５０が印刷データを保持している期間にわたってその印刷データに対応する公的イメージを保管し、画像形成装置５０からその印刷データが削除されると印刷管理装置１０がその印刷データに対応する公的イメージを削除する。以上の構成によれば、印刷データが存続している間は対応する公的イメージが保持されるので、印刷データの入力後すぐに印刷処理を実行しない場合においても、公的イメージを印刷データに付す公的印刷が適切に実現される。
【００７９】
また、本実施形態の構成によれば、印刷システム１の構成要素としての印刷管理装置１０および画像形成装置５０の各々が実現される。また、印刷システム１において効果的な公私判別を行うことが可能な制御方法が実現される。
【００８０】
６．変形例
上記した実施形態における印刷管理装置１０を実現するのに用いられるコンピュータープログラムおよび画像形成装置５０を実現するのに用いられるコンピュータープログラムは、非一過性の記録媒体に記憶されて提供されてもよいし、ネットワーク３０を介してダウンロードされてもよい。
【符号の説明】
【００８１】
１０    印刷管理装置
２１    公的イメージ作成部
２２    公的イメージ付与部
２３    公的イメージ管理部
２４    公私判別部
２５    課金部
５０    画像形成装置
８１    印刷制御部
８２    問合せ部
８３    応答処理部
【図１】
2019123176.tif 000003
【図２】
2019123176.tif 000004
【図３】
2019123176.tif 000005
【図４】
2019123176.tif 000006
【図５】
2019123176.tif 000007
【図６】
2019123176.tif 000008
【図７】
2019123176.tif 000009
【図８】
2019123176.tif 000010